(57)【要約】【課題】被記録媒体を支持可能なトレイを、シートを波形状にさせる部材に妨げられることなく挿入できる装置を提供する。【解決手段】当該装置は、記録メディアを支持可能であって当該装置へ挿入されるメディアトレイ１１０と、記録用紙１２またはメディアトレイ１１０を挟持して搬送する搬送ローラ対５９と、記録用紙１２または記録メディアへ向けてノズル３９からインク滴を吐出する記録部２４と、左右方向９に間隔を空けて複数配置されており、上方から記録用紙１２と当接して当該記録用紙１２に左右方向９に連続した波形状を付与する当接部材４１と、を備える。メディアトレイ１１０には、挿入向きの下流端から上流側へ向けて斜め上向きに傾斜しており、当接部材４１の当接部７８と当接して当該当接部７８を上方へ移動させる第１傾斜面１１４が設けられている。【選択図】図２
2015066887.tif 000002
【特許請求の範囲】
【請求項１】
被記録媒体を支持可能なメディアトレイと、
第１ローラ及び当該第１ローラと対向する第２ローラを有し、上記第１ローラと上記第２ローラとが当接しておりシートを挟持可能な第１状態、及び上記第１ローラと上記第２ローラとが離間しており上記メディアトレイを挟持可能な第２状態に状態変化可能なローラ対と、
上記ローラ対よりもシートの搬送向きの下流側に配置されており、シートまたは上記メディアトレイに支持された被記録媒体へ向けてノズルからインク滴を吐出する記録部と、
上記ローラ対よりも上記搬送向きの下流側に配置され、且つ、上記搬送向きと交差する幅方向に間隔を空けて複数配置されており、下方からシートと当接する複数の下側当接部と、
上記搬送向きにおいて上記ローラ対及び上記ノズルの間に配置され、且つ上記幅方向において上記複数の下側当接部の間の少なくとも１つに配置されており、下端が上記下側当接部の上端よりも下方に位置し、上方からシートと当接する上側当接部と、を備え、
上記メディアトレイには、上記メディアトレイの挿入向きの下流端から上記挿入向きの上流側へ向けて斜め上向きに傾斜しており、上記上側当接部と当接して上記上側当接部を上方へ移動させる傾斜部が設けられているインクジェット記録装置。
【請求項２】
上記上側当接部は、上記傾斜部と当接することにより、上方へ撓むものである請求項１に記載のインクジェット記録装置。
【請求項３】
上記傾斜部は、上記上側当接部に対応して配置されている請求項１または２に記載のインクジェット記録装置。
【請求項４】
上記上側当接部は、上記幅方向において上記複数の下側当接部の間のそれぞれに配置されている請求項１から３のいずれかに記載のインクジェット記録装置。
【請求項５】
上記ローラ対は、上記第１ローラ及び上記第２ローラのうち下側のローラが下方に移動することによって上記第１状態から上記第２状態に状態変化するものであり、
上記上側当接部の下端は、上記第１状態における上記ローラ対によるシートの挟持位置よりも下方、且つ上記第２状態における上記下側のローラよりも上方に位置している請求項１から４のいずれかに記載のインクジェット記録装置。
【請求項６】
上記第２ローラは、上記第１ローラの下方に上記第１ローラと対向して配置され、上記幅方向に間隔を空けて複数配置され、上記第１ローラ側へ弾性部材によって付勢され、且つ上記第１ローラと接離する方向に沿って移動可能であり、
複数の上記第２ローラのうちの一部を、上記第１ローラから離間する向きに、上記メディアトレイの厚みよりも小さい第１距離移動させ、複数の上記第２ローラのうちの当該一部以外を、上記第１ローラから離間する向きに、上記メディアトレイの厚みよりも大きい第２距離移動させることによって、上記ローラ対を上記第１状態から上記第２状態へ状態変化させる移動機構を更に備え、
上記メディアトレイの上記挿入向きの下流端部は、上記幅方向において、上記傾斜部が形成された第１範囲と、上記傾斜部が形成されておらず且つ下流端の高さが上記傾斜部の上記挿入向きの下流端よりも上方に位置する第２範囲とで構成されており、
上記第１範囲のうち上記第１距離移動する上記第２ローラと当接する第３範囲は、上記第２範囲よりも上記挿入向きの上流側に位置しており、
上記第１距離移動する上記第２ローラは、上記幅方向において、上記第３範囲及び上記第２範囲の双方を含む範囲に亘って配置されている請求項１から５のいずれかに記載のインクジェット記録装置。
【請求項７】
上記メディアトレイの上記第２範囲の下面は、上記メディアトレイの上記挿入向きの下流端から上記挿入向きの上流側へ向けて斜め下向きに傾斜している請求項６に記載のインクジェット記録装置。
【請求項８】
上記移動機構は、複数の上記第２ローラのうち上記メディアトレイの被記録媒体を支持する支持領域の上記幅方向の両側に対応する上記第２ローラを上記第１距離移動させ、複数の上記第２ローラのうち上記メディアトレイの上記支持領域に対応する上記第２ローラを上記第２距離移動させる請求項６または７に記載のインクジェット記録装置。
【請求項９】
上記メディアトレイは、上記記録部よりも上記搬送向きの下流側から、上記搬送向きと逆向きに挿入される請求項１から８のいずれかに記載のインクジェット記録装置。
【請求項１０】
上記ローラ対よりも上記搬送向きの上流側に設けられており、上記ローラ対へ給送されるシートを支持する給送トレイを更に備える請求項１から９のいずれかに記載のインクジェット記録装置。
【請求項１１】
上記上側当接部は、上記搬送向きの上流側から下流側に向かって傾斜している請求項１０に記載のインクジェット記録装置。
【請求項１２】
板状のメディアトレイ本体部と、
上記メディアトレイ本体部の上面に設けられており、インクジェット記録装置によって画像が記録される被記録媒体を支持可能な支持部と、を有し上記インクジェット記録装置に挿入されるメディトレイであって、
上記インクジェット記録装置が、シートまたは上記メディアトレイを挟持して搬送するローラ対と、上記ローラ対よりもシートの搬送向きの下流側に配置されており、シート及び上記メディアトレイに支持された被記録媒体へ向けてノズルからインク滴を吐出する記録部と、上記ローラ対よりも上記搬送向きの下流側に配置され、且つ、上記搬送向きと交差する幅方向に間隔を空けて複数配置されており、下方からシートと当接する複数の下側当接部と、上記搬送向きにおいて上記ローラ対及び上記ノズルの間に配置され、且つ上記幅方向において上記複数の下側当接部の間の少なくとも１つに配置されており、下端が上記下側当接部の上端よりも下方に位置し、上方からシートと当接する上側当接部と、を有するものであり、
上記メディアトレイ本体部の上面に設けられており、当該メディアトレイの挿入向きの下流端から上記挿入向きの上流側へ向けて斜め上向きに傾斜しており、上記上側当接部と当接して上記上側当接部を上方へ移動させる傾斜部を備えるメディアトレイ。
【発明の詳細な説明】
【技術分野】
【０００１】
本発明は、記録ヘッドに設けられたノズルからインク滴を吐出することによってシートに画像を記録するインクジェット記録装置、及び当該インクジェット記録装置に挿入可能であり、被記録媒体を支持可能なメディアトレイに関する。
【背景技術】
【０００２】
インクジェット記録装置では、コックリングと呼ばれる不具合が生じることがある。コックリングとは、インク滴が浸透したシートが変形する現象をいい、この変形により、シートが湾曲することが知られている。シートにコックリングが生じると、画像記録の途中においてシートと記録ヘッドとの間隔が変化する。これにより、変形したシートが記録ヘッドに当接したり、シート詰まりが発生したりするおそれがある。
【０００３】
このような問題を解決するためのインクジェット記録装置の一例として、特許文献１には、リブと弾性部材とを複数備えた記録装置が開示されている。当該記録装置において、リブは、シートを支持するプラテンに形成されておりシートの搬送向きに延びている。また、弾性部材は、プラテンにおけるインク滴の着弾領域よりも上流側で且つシートの記録面側に搬送向きと交差する幅方向においてリブの間に入り込むように配置され、シートをリブの上端よりも下方に押さえるように弾性変形する。以上より、シートは、幅方向において波形状となり、その結果、シートは湾曲し難くなる。
【０００４】
また、インクジェット記録装置において、シートの他、ＣＤやＤＶＤなどに画像を記録するものも存在する。ＣＤやＤＶＤなどに画像記録が行われる際、ＣＤやＤＶＤなどは専用のメディアトレイに載置される。メディアトレイはインクジェット記録装置に設けられた挿入口から挿入され、インクジェット記録装置内を搬送される。
【先行技術文献】
【特許文献】
【０００５】
【特許文献１】特開平１１−１３８９２３号公報
【発明の概要】
【発明が解決しようとする課題】
【０００６】
しかしながら、特許文献１に開示された記録装置のようなシートを波形状にする構成の場合、挿入口から挿入されたメディアトレイが弾性部材と接触することによって、メディアトレイを画像記録のために必要な位置まで挿入できなくなってしまうおそれがある。
【０００７】
本発明は、上記問題に鑑みてなされたものであり、その目的は、被記録媒体を支持可能なメディアトレイを、シートを波形状にさせるための部材に妨げられることなく挿入することができる手段を提供することにある。
【課題を解決するための手段】
【０００８】
(1)  本発明に係るインクジェット記録装置は、被記録媒体を支持可能なメディアトレイと、第１ローラ及び当該第１ローラを有し、上記第１ローラと上記第２ローラとが当接しておりシートを挟持可能な第１状態、及び上記第１ローラと上記第２ローラとが離間しており上記メディアトレイを挟持可能な第２状態に状態変化可能なローラ対と、上記ローラ対よりもシートの搬送向きの下流側に配置されており、シートまたは上記メディアトレイに支持された被記録媒体へ向けてノズルからインク滴を吐出する記録部と、上記ローラ対よりも上記搬送向きの下流側に配置され、且つ、上記搬送向きと交差する幅方向に間隔を空けて複数配置されており、下方からシートと当接する複数の下側当接部と、上記搬送向きにおいて上記ローラ対及び上記ノズルの間に配置され、且つ上記幅方向において上記複数の下側当接部の間の少なくとも１つに配置されており、下端が上記下側当接部の上端よりも下方に位置し、上方からシートと当接する上側当接部と、を備える。上記メディアトレイには、上記メディアトレイの挿入向きの下流端から上記挿入向きの上流側へ向けて斜め上向きに傾斜しており、上記上側当接部と当接して上記上側当接部を上方へ移動させる傾斜部が設けられている。
【０００９】
本構成によれば、被記録媒体に画像記録するためにメディアトレイをインクジェット記録装置へ挿入させる際、その挿入過程において、メディアトレイの傾斜部が上側当接部と当接する。これにより、上側当接部は、当該傾斜部に対して相対的に摺動する。その結果、上側当接部は、傾斜部に沿って上方へ案内され、メディアトレイよりも上方へ移動する。以上より、メディアトレイの挿入が上側当接部に引っかかることによって妨げられる可能性を低くすることができる。
【００１０】
(2)  上記上側当接部は、上記傾斜部と当接することにより、上方へ撓むものである。
【００１１】
本構成によれば、上側当接部自体を移動させるための機構が不要である。
【００１２】
(3)  上記傾斜部は、上記上側当接部に対応して配置されている。
【００１３】
本構成によれば、傾斜部を必要な箇所にのみ設けることができる。換言すると、傾斜部を不要な箇所に設ける必要はない。
【００１４】
(4)  上記上側当接部は、上記幅方向において上記複数の下側当接部の間のそれぞれに配置されていてもよい。
【００１５】
(5)  上記ローラ対は、上記第１ローラ及び上記第２ローラのうち下側のローラが下方に移動することによって上記第１状態から上記第２状態に状態変化するものである。上記上側当接部の下端は、上記第１状態における上記ローラ対によるシートの挟持位置よりも下方、且つ上記第２状態における上記下側のローラよりも上方に位置している。
【００１６】
本構成によれば、被記録媒体に画像記録させるためにメディアトレイをインクジェット記録装置へ挿入させる際、その挿入過程において、メディアトレイの傾斜部が上側当接部の下端と当接する。これにより、当該下端は、当該傾斜部に対して相対的に摺動する。その結果、当該下端が傾斜部に沿って上方へ案内され、メディアトレイよりも上方へ移動する。以上より、メディアトレイの挿入が上側当接部に引っかかることによって妨げられる可能性を低くすることができる。つまり、本構成では、メディアトレイの傾斜部を上側当接部の下端に直接当接させて、当該下端をメディアトレイの上方へ案内することができる。
【００１７】
(6)  上記第２ローラは、上記第１ローラの下方に上記第１ローラと対向して配置され、上記幅方向に間隔を空けて複数配置され、上記第１ローラ側へ弾性部材によって付勢され、且つ上記第１ローラと接離する方向に沿って移動可能である。本発明に係るインクジェット記録装置は、複数の上記第２ローラのうちの一部を、上記第１ローラから離間する向きに、上記メディアトレイの厚みよりも小さい第１距離移動させ、複数の上記第２ローラのうちの当該一部以外を、上記第１ローラから離間する向きに、上記メディアトレイの厚みよりも大きい第２距離移動させることによって、上記ローラ対を上記第１状態から上記第２状態へ状態変化させる移動機構を更に備える。上記メディアトレイの上記挿入向きの下流端部は、上記幅方向において、上記傾斜部が形成された第１範囲と、上記傾斜部が形成されておらず且つ下流端の高さが上記傾斜部の上記挿入向きの下流端よりも上方に位置する第２範囲とで構成されている。上記第１範囲のうち上記第１距離移動する上記第２ローラと当接する第３範囲は、上記第２範囲よりも上記挿入向きの上流側に位置している。上記第１距離移動する上記第２ローラは、上記幅方向において、上記第３範囲及び上記第２範囲の双方を含む範囲に亘って配置されている。
【００１８】
本構成において、メディアトレイの挿入向きの下流端は、インクジェット記録装置への挿入過程において、第１距離移動する第２ローラと当接する。これにより、当該第２ローラはメディアトレイに押されることによって第１ローラから離間する側へ移動する。その結果、当該第２ローラは第１ローラと協働してメディアトレイを挟持することができる。しかし、仮に、傾斜部が第１距離移動する第２ローラと当接する場合、その当接位置が下方にずれてしまう。なぜなら、傾斜部はメディアトレイの挿入向きの下流端において挿入向きの上流側よりも下方に位置するからである。その結果、当該第２ローラが第１ローラから離間する側へ移動できず、ローラ対がメディアトレイを挟持することができないおそれがある。
【００１９】
そこで、本構成では、メディアトレイの挿入向きの下流端部は、幅方向において、傾斜部が形成された第１範囲と、傾斜部が形成されておらず且つ下流端の高さが傾斜部の上記挿入向きの下流端よりも上方に位置する第２範囲とで構成されている。また、第１範囲の一部であって第１距離移動する上記第２ローラと当接する第３範囲は、第２範囲よりも挿入向きの上流側に位置している。第１距離移動する第２ローラは、幅方向において、第３範囲及び第２範囲の双方を含む範囲に亘って配置されている。
【００２０】
これにより、第１距離移動する第２ローラは、最初に、メディアトレイの挿入向きの下流端部における第２範囲、つまり傾斜部が形成されておらず且つ下流端の高さが傾斜部の上記挿入向きの下流端よりも上方に位置する範囲と当接する。その結果、第１距離移動する第２ローラは、メディアトレイの挿入向きの下流端における第２範囲に押されることによって、第１ローラから離間する側に移動する。そして、その後、第１距離移動する第２ローラは、メディアトレイの挿入向きの下流端における第３範囲、つまり傾斜部と当接する。このとき、第２ローラは既に第１ローラから離間する側に移動している。そのため、上述したような事態、つまり第２ローラが第１ローラから離間することができない事態が発生する可能性を低くすることができる。
【００２１】
(7)  上記メディアトレイの上記第２範囲の下面は、上記メディアトレイの上記挿入向きの下流端から上記挿入向きの上流側へ向けて斜め下向きに傾斜している。
【００２２】
本構成によれば、第１距離移動する第２ローラが第２範囲と当接した際に、第２ローラは、第２範囲の下面に案内されることによって下方へ円滑に移動可能である。
【００２３】
(8)  上記移動機構は、複数の上記第２ローラのうち上記メディアトレイの被記録媒体を支持する支持領域の上記幅方向の両側に対応する上記第２ローラを上記第１距離移動させ、複数の上記第２ローラのうち上記メディアトレイの上記支持領域に対応する上記第２ローラを上記第２距離移動させる。
【００２４】
本構成によれば、メディアトレイは、支持領域の幅方向の両側においてのみローラ対によって挟持される。これにより、メディアトレイにおける支持領域の下面がローラによって押圧されて、メディアトレイが反った方向に沿って動いてしまうことを防止できる。その結果、支持領域において支持された被記録媒体が第１ローラに接触して、当該被記録媒体に傷がつくことを防止できる。
【００２５】
(9)  上記メディアトレイは、上記記録部よりも上記搬送向きの下流側から、上記搬送向きと逆向きに挿入されてもよい。
【００２６】
(10)  本発明に係るインクジェット記録装置は、上記ローラ対よりも上記搬送向きの上流側に設けられており、上記ローラ対へ給送されるシートを支持する給送トレイを更に備えていてもよい。
【００２７】
(11)  上記上側当接部は、上記搬送向きの上流側から下流側に向かって傾斜している。
【００２８】
本構成によれば、上側当接部は、給送トレイから給送されて搬送向きに搬送されるシートを、容易に下方へ導くことができる。
【００２９】
(12)  本発明は、板状のメディアトレイ本体部と、上記メディアトレイ本体部の上面に設けられており、インクジェット記録装置によって画像が記録される被記録媒体を支持可能な支持部と、を有し上記インクジェット記録装置に挿入されるメディトレイであって、上記インクジェット記録装置が、シートまたは上記メディアトレイを挟持して搬送するローラ対と、上記ローラ対よりもシートの搬送向きの下流側に配置されており、シート及び上記メディアトレイに支持された被記録媒体へ向けてノズルからインク滴を吐出する記録部と、上記ローラ対よりも上記搬送向きの下流側に配置され、且つ、上記搬送向きと交差する幅方向に間隔を空けて複数配置されており、下方からシートと当接する複数の下側当接部と、上記搬送向きにおいて上記ローラ対及び上記ノズルの間に配置され、且つ上記幅方向において上記複数の下側当接部の間の少なくとも１つに配置されており、下端が上記下側当接部の上端よりも下方に位置し、上方からシートと当接する上側当接部と、を有するものであり、上記メディアトレイ本体部の上面に設けられており、当該メディアトレイの挿入向きの下流端から上記挿入向きの上流側へ向けて斜め上向きに傾斜しており、上記上側当接部と当接して上記上側当接部を上方へ移動させる傾斜部を備えるメディアトレイとして捉えることもできる。
【発明の効果】
【００３０】
本発明によれば、被記録媒体を支持可能なメディアトレイを、シートを波形状にさせるための上側当接部に妨げられることなくインクジェット記録装置に挿入することができる。
【図面の簡単な説明】
【００３１】
【図１】図１は、本発明の実施形態の一例である複合機１０の斜視図である。
【図２】図２は、プリンタ部１１の内部構造を模式的に示す縦断面図である。
【図３】図３は、レバー部９０の案内部９５周辺を模式的に示す縦断面図であり、（Ａ）にはレバー部９０が第１位置の状態が示されており、（Ｂ）にはレバー部９０が第２位置の状態が示されている。
【図４】図４は、移動機構５０周辺を示す斜視図である。
【図５】図５は、搬送ローラ対５９及びレバー部９０の案内部９５を模式的に示す断面図であり、（Ａ）にはピンチローラ６１Ａ、６１Ｂが搬送ローラ６０と当接している状態が示されており、（Ｂ）にはピンチローラ６１Ｂが搬送ローラ６０から離間している状態が示されており、（Ｃ）にはピンチローラ６１Ａ、６１Ｂが搬送ローラ６０から離間している状態が示されている。
【図６】図６は、レバー部９０を模式的に示す平面図である。
【図７】図７は、メディアトレイ１１０を上側から見た斜視図である。
【図８】図８は、メディアトレイ１１０を下側から見た斜視図である。
【図９】図９は、直線部３４を搬送されるメディアトレイ１１０の下流端部１１８と当接部材４１との周辺を示す平面図であり、（Ａ）には下流端部１１８が当接部材４１に到達していない状態が示されており、（Ｂ）には第４範囲１０４に形成された第１傾斜面１１４が当接部７８と当接した状態が示されており、（Ｃ）には第３範囲１０３に形成された第１傾斜面１１４が当接部７８と当接した状態が示されている。
【図１０】図１０は、直線部３４を搬送されるメディアトレイ１１０の下流端部１１８と当接部材４１との周辺を示す平面図であり、（Ａ）には第３範囲１０３がピンチローラ６１と当接した状態が示されており、（Ｂ）にはメディアトレイ１１０が搬送ローラ対５９に挟持された状態が示されている。
【図１１】図１１は、変形例１０における直線部３４を搬送されるメディアトレイ１１０の下流端部１１８と当接部材４１との周辺を模式的に示す図であり、（Ａ）には第３傾斜面１２３が突部７６と当接した状態の平面図が示されており、（Ｂ）には第３傾斜面１２３が突部７６と当接した状態の断面図が示されており、（Ｃ）には第１傾斜面１１４が当接部７８と当接した状態の平面図が示されており、（Ｄ）には第１傾斜面１１４が当接部７８と当接した状態の断面図が示されており、（Ｅ）には当接部材４１がメディアトレイ１１０に乗り上げた状態の平面図が示されており、（Ｆ）には当接部材４１がメディアトレイ１１０に乗り上げた状態の断面図が示されている。
【図１２】図１２は、直線部３４を搬送されるメディアトレイ１１０の下流端部１１８と当接部材４１との周辺を示す図であり、（Ａ）には図９（Ｂ）のＡ−Ａ断面が模式的に示されており、（Ｂ）には図９（Ｂ）のＢ−Ｂ断面が模式的に示されており、（Ｃ）には図９（Ｃ）のＣ−Ｃ断面が模式的に示されており、（Ｄ）には図９（Ｃ）のＤ−Ｄ断面が模式的に示されており、（Ｅ）には図１０（Ａ）のＥ−Ｅ断面が模式的に示されており、（Ｆ）には図１０（Ａ）のＦ−Ｆ断面が模式的に示されている。
【発明を実施するための形態】
【００３２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。以下の説明においては、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００３３】
［複合機１０の全体構造］
図１に示されるように、複合機１０（本発明のインクジェット記録装置の一例）は、薄型の直方体に概ね形成されており、下部にプリンタ部１１が設けられている。複合機１０は、ファクシミリ機能及びプリント機能などの各種の機能を有している。複合機１０は、プリント機能として、インクジェット方式で記録用紙１２（図２参照）の片面に画像を記録する機能を有している。なお、複合機１０は、記録用紙１２の両面に画像を記録する機能を有していてもよい。また、複合機１０は、後述するメディアトレイ１１０（図２、図７、及び図８参照）に支持されたＣＤ−ＲＯＭやＤＶＤ−ＲＯＭなどの記録メディア（本発明の被記録媒体の一例）の盤面上に画像を記録する機能を有する。この機能については後述される。
【００３４】
［給送トレイ２０］
図１に示されるように、プリンタ部１１は、前面７５に開口１３が形成された筐体１４を有している。筐体１４の正面には、開口１３を通じて後方へ凹んだ凹部８０が形成されている。給送トレイ２０が、前後方向８に移動することによって、凹部８０へ挿入可能であり凹部８０から脱抜可能である。給送トレイ２０は、上側が開放された箱形状の部材である。図２に示されるように、給送トレイ２０の底板２２には、記録用紙１２が支持される。給送トレイ２０の前側且つ上側には、排出トレイ２１が支持されている。排出トレイ２１は、給送トレイ２０と一体に前後方向８に移動する。排出トレイ２１の上面には、後述する記録部２４によって画像を記録された記録用紙１２が排出される。
【００３５】
［給送部１６］
図２に示されるように、給送部１６は、凹部８０に挿入された状態の給送トレイ２０の底板２２の上方に設けられている。給送部１６は、給送ローラ２５、給送アーム２６、及び駆動伝達機構２７を備えている。給送ローラ２５は、給送アーム２６の先端部で軸支されている。給送アーム２６は、基端部に設けられた支軸２８を中心として、矢印２９の方向に回動可能である。これにより、給送ローラ２５は、給送トレイ２０の底板２２または当該給送トレイ２０に支持された記録用紙１２に対して、当接及び離間が可能である。
【００３６】
給送ローラ２５は、複数のギヤが噛合されてなる駆動伝達機構２７によって、搬送用モータ（不図示）の駆動力が伝達されて回転する。これにより、給送トレイ２０の底板２２に載置された記録用紙１２のうち、給送ローラ２５と当接している最も上側の記録用紙１２が、後述する搬送路６５へ給送される。なお、給送ローラ２５は、搬送用モータとは別に設けられたモータから駆動力を付与されて回転してもよい。
【００３７】
［搬送路６５］
図２に示されるように、筐体１４内部において、給送トレイ２０の後端部から搬送路６５が延出されている。搬送路６５は、湾曲部３３と直線部３４とを備える。湾曲部３３は、給送トレイ２０の後端部から上方へ向かって湾曲しつつ延びている。直線部３４は、前後方向８に延びている。
【００３８】
湾曲部３３は、所定間隔を隔てて互いに対向する外側ガイド部材１８と内側ガイド部材１９とによって形成されている。直線部３４は、記録部２４が配置されている位置において、所定間隔を隔てて互いに対向する記録部２４とプラテン４２とによって形成されており、記録部２４より後方において、上側ガイド部材１７と外側ガイド部材１８とによって形成されている。
【００３９】
給送トレイ２０に支持された記録用紙１２は、給送ローラ２５によって湾曲部３３へ給送され、湾曲部３３から直線部３４に亘って図２に一点鎖線の矢印で示される搬送向き１５に沿って搬送される。メディアトレイ１１０は、開口１３から直線部３４へ挿入され、直線部３４に沿って前後方向８に搬送される。
【００４０】
［記録部２４］
図２に示されるように、記録部２４は、直線部３４の上側に設けられている。記録部２４の下側且つ記録部２４と対向する位置には、プラテン４２が設けられている。
【００４１】
プラテン４２は、前後方向８及び左右方向９の長さが上下方向７の長さよりも長い平板形状の部材である。図６に示されるように、プラテン４２は、その上面に、搬送向き１５と直交する左右方向９（本発明の幅方向の一例）に間隔を空けて複数配置され且つ前後方向８に延設されたリブ１２０（本発明の下側当接部の一例）を備える。複数のリブ１２０は、直線部３４を搬送される記録用紙１２と下方から当接する。つまり、複数のリブ１２０は、記録用紙１２を支持する。なお、プラテン４２は、平板形状でなくてもよい。また、複数のリブ１２０が間隔を空けて並ぶ方向は、搬送向き１５と直交する左右方向９に限らず、搬送向き１５と交差する方向であればよい。
【００４２】
図２に示されるように、記録部２４は、キャリッジ４０と記録ヘッド３８とを備えている。キャリッジ４０は、前後方向８に間隔を空けて配置された２つのガイドレール５６、５７によって左右方向９へ往復移動可能に支持されている。記録ヘッド３８は、キャリッジ４０に搭載されている。記録ヘッド３８には、インクカートリッジ（不図示）からインクが供給される。記録ヘッド３８の下面には、ノズル３９が形成されている。キャリッジ４０が左右方向９に移動しているときに、記録ヘッド３８は、ノズル３９からインク滴をプラテン４２に向けて吐出する。これにより、搬送向き１５に搬送されてプラテン４２に支持された記録用紙１２またはメディアトレイ１１０に支持された記録メディアに画像が記録される。
【００４３】
［搬送ローラ対５９及び排出ローラ対４４］
図２に示されるように、直線部３４における記録部２４及びプラテン４２よりも搬送向き１５の上流側であって、給送トレイ２０よりも搬送向き１５の下流側には、搬送ローラ対５９（本発明のローラ対の一例）が配置されている。直線部３４における記録部２４よりも搬送向き１５の下流側には、排出ローラ対４４が配置されている。
【００４４】
図２及び図４に示されるように、搬送ローラ対５９は、直線部３４の上側に配置された搬送ローラ６０（本発明の第１ローラの一例）と、直線部３４の下側に搬送ローラ６０と対向して配置されたピンチローラ６１（本発明の第２ローラの一例）とを備えている。搬送ローラ６０は、左右方向９に延びた円柱状の部材である。ピンチローラ６１は、左右方向９に間隔を空けて複数設けられている。各ピンチローラ６１は、後述する移動機構５０を構成する部材の一つであって各ピンチローラ６１に対応して設けられた支持部材５５によって回転可能に支持されている。各支持部材５５は、弾性部材６６によって搬送ローラ６０側に付勢されている。これにより、各ピンチローラ６１は、弾性部材６６に搬送ローラ６０側へ付勢されることによって搬送ローラ６０を押圧している。なお、本実施形態では、ピンチローラ６１は２個で１組となったものが４個、つまり８個設けられているが、ピンチローラ６１の数は８個に限らない。
【００４５】
図２に示されるように、排出ローラ対４４は、直線部３４の下側に配置された排出ローラ６２と、直線部３４の上側に排出ローラ６２と対向して配置された拍車６３とを備えている。図４に示されるように、排出ローラ６２は、左右方向９に延びた軸６４と、左右方向９に間隔を空けて軸６４に取り付けられたローラ部５８とを備えている。拍車６３は、左右方向９に間隔を空けて複数設けられている。各拍車６３は、ローラ部５８と対向する位置に設けられている。排出ローラ６２は、弾性部材によって拍車６３側へ付勢されている。
【００４６】
搬送ローラ対５９及び排出ローラ対４４は、後述するように記録用紙１２またはメディアトレイ１１０を挟持可能である。また、搬送ローラ６０及び排出ローラ６２は、搬送用モータ（不図示）から正転の駆動力が伝達されて正転し、逆転の駆動力が伝達されて逆転する。
【００４７】
搬送ローラ対５９に記録用紙１２またはメディアトレイ１１０が挟持されている状態において、搬送ローラ６０が正転すると、当該記録用紙１２またはメディアトレイ１１０は、搬送ローラ対５９によって直線部３４を、搬送向き１５、つまり前向きに搬送され、搬送ローラ６０が逆転すると、当該記録用紙１２またはメディアトレイ１１０は、搬送ローラ対５９によって直線部３４を、搬送向き１５と逆向き、つまり後向きに搬送される。
【００４８】
また、排出ローラ対４４に記録用紙１２またはメディアトレイ１１０が挟持されている状態において、排出ローラ６２が正転すると、当該記録用紙１２またはメディアトレイ１１０は、排出ローラ対４４によって直線部３４を、搬送向き１５、つまり前向きに搬送されて排出トレイ２１に排出され、排出ローラ６２が逆転すると、当該記録用紙１２またはメディアトレイ１１０は、排出ローラ対４４によって直線部３４を、搬送向き１５と逆向き、つまり後向きに搬送される。
【００４９】
［搬送ローラ対５９、排出ローラ対４４、及びプラテン４２の状態変化］
図４及び図５に示されるように、プリンタ部１１には、移動機構５０が設けられている。移動機構５０は、上述した支持部材５５と、支持部材５５の左右両端部から下方へ突出しており孔５３が形成された凸部５２と、左右方向９に延びており孔５３に挿通されたシャフト５４と、後述するレバー部９０とを備えている。シャフト５４の左右両端部は、レバー部９０に設けられた開口９１（図３参照）に挿通されている。
【００５０】
凸部５２は、複数のピンチローラ６１のうち左右両端側に設けられたピンチローラ６１Ａの軸５１Ａに設けられた凸部５２Ａと、左右方向９における中央側に設けられたピンチローラ６１Ｂの軸５１Ｂに設けられた凸部５２Ｂとで構成されている。
【００５１】
ここで、ピンチローラ６１Ａは、左右方向９において、複合機１０に挿入された状態のメディアトレイ１１０に設けられた支持領域１１１（図７参照）の両側、つまり支持領域１１１よりも右側及び左側に対応する位置に設けられている。一方、ピンチローラ６１Ｂは、左右方向９において、複合機１０に挿入された状態のメディアトレイ１１０に設けられた支持領域１１１に対応する位置に設けられている。
【００５２】
また、凸部５２Ａに設けられた孔５３Ａを構成する内周面の上端は、凸部５２Ｂに設けられた孔５３Ｂを構成する内周面の上端と同じ高さである。一方、孔５３Ａを構成する内周面の下端は、孔５３Ｂを構成する内周面の下端よりも低い位置である。つまり、孔５３Ａは、孔５３Ｂよりも大きい。
【００５３】
排出ローラ６２の軸６４の左右両端部は、レバー部９０に設けられた開口９２（図３参照）に挿通されている。
【００５４】
後述するように、搬送ローラ対５９は、シャフト５４が上下動することによって、ピンチローラ６１が搬送ローラ６０と当接しており記録用紙１２を挟持可能な第１状態（図５（Ａ）参照）、及びピンチローラ６１が搬送ローラ６０から離間しておりメディアトレイ１１０を挟持可能な第２状態（図５（Ｃ）参照）に状態変化する。また、排出ローラ対４４は、排出ローラ６２の軸６４が上下動することによって、拍車６３が排出ローラ６２と当接しており記録用紙１２を挟持可能な第１状態（図２に実線で示される状態）、及び排出ローラ６２が拍車６３から離間しておりメディアトレイ１１０を挟持可能な第２状態（図２に破線で示される状態）に状態変化する。なお、後述するように、シャフト５４及び軸６４の上下動は、レバー部９０が前後方向８に移動することによって実行される。
【００５５】
また、図３に示されるように、プラテン４２の左右両側面には、外側に向けて突出した突起４３が設けられている。突起４３は、レバー部９０に設けられた開口１３０に挿通されている。後述するように、プラテン４２は、突起４３が上下動することによって、記録部２４との間に間隔Ｄ１を有した第１状態（図３（Ａ）参照）、及び記録部２４との間に間隔Ｄ１よりも大きな間隔Ｄ２を有した第２状態（図３（Ｂ）参照）に状態変化する。
【００５６】
記録用紙１２が直線部３４を搬送される際、プラテン４２は第１状態に状態変化されて記録用紙１２を支持する。一方、メディアトレイ１１０が直線部３４を搬送される際、プラテン４２は第２状態に状態変化される。これにより、プラテン４２は、搬送されるメディアトレイ１１０よりも下方に位置する。その結果、搬送されるメディアトレイ１１０は、プラテン４２と接触しない。
【００５７】
以上より、搬送ローラ対５９、排出ローラ対４４、及びプラテン４２は、記録用紙１２に画像記録される際に第１状態に状態変化され、メディアトレイ１１０に支持された記録メディアに画像記録される際に第２状態に状態変化される。この状態変化は、ユーザが後述するレバー部９０を移動させることによって行われる。
【００５８】
［レバー部９０］
図３に示されるように、プリンタ部１１には、レバー部９０が前後方向８に移動可能に配置されている。レバー部９０は、図３（Ａ）に示される位置である第１位置と、第１位置よりも前側の位置であって図３（Ｂ）に示される位置である第２位置との間で移動可能である。
【００５９】
図６に示されるように、レバー部９０は、ユーザによって把持される把持部９３と、把持部９３の左右両端部から後方へ延びており把持部９３及び後述する案内部９５を連結する一対の接続部９４と、接続部９４の後端部から後方へ延びた一対の案内部９５とを備えている。
【００６０】
図１に示されるように、把持部９３は、凹部８０における開口１３近傍であって、開口１３の上端近傍に配置されている。図６に示されるように、把持部９３は、左右方向９に延びた部材である。把持部９３の左右方向９の中央部には、開口９６が設けられている。ユーザは、開口９６に指を入れることによって把持部９３を把持することができる。
【００６１】
接続部９４は前後方向８に長い平板形状の部材である。一対の接続部９４の一方は、凹部８０の右端近傍且つ上端近傍を前後方向８に延びている。一対の接続部９４の他方は、凹部８０の左端近傍且つ上端近傍を前後方向８に延びている。接続部９４は、プリンタ部１１の筐体１４の内側面８１（図１参照）によって、前後方向８に移動可能に支持されている。
【００６２】
図３及び図６に示されるように、案内部９５は、前後方向８において排出ローラ対４４から搬送ローラ対５９の後方まで延びている。また、案内部９５は、搬送路６５の右端よりも右側及び搬送路６５の左端よりも左側に、一対に配置されている。案内部９５は、プリンタ部１１のフレーム８２（図９及び図１０参照）に支持されている。
【００６３】
図３に示されるように、案内部９５には、開口９１、９２と、２つの開口１３０が設けられている。開口９１は、前側が後側よりも高位置である傾斜面９７と、傾斜面９７の前端と繋がっており前後方向８に延びた水平面９８Ａと、傾斜面９７の後端と繋がっており前後方向８に延びた水平面９８Ｂとを備えている。
【００６４】
また、開口９２は、前側が後側よりも高位置である傾斜面９９と、傾斜面９９の前端と繋がっており前後方向８に延びた水平面１００Ａと、傾斜面９９の後端と繋がっており前後方向８に延びた水平面１００Ｂとを備えている。
【００６５】
また、開口１３０は、前側が後側よりも高位置である傾斜面１３１と、傾斜面１３１の前端と繋がっており前後方向８に延びた水平面１３２Ａと、傾斜面１３１の後端と繋がっており前後方向８に延びた水平面１３２Ｂとを備えている。
【００６６】
以下、レバー部９０の移動に伴う搬送ローラ対５９の状態変化について説明する。図３（Ａ）及び図５（Ａ）に示されるように、レバー部９０が第１位置に位置しているとき、シャフト５４は、開口９１における水平面９８Ａの下方に位置している。このとき、ピンチローラ６１は、弾性部材６６（図４参照）の付勢力によって搬送ローラ６０に圧接されている。つまり、搬送ローラ対５９は第１状態である。
【００６７】
ユーザが、把持部９３を把持して、レバー部９０を前向きに引っ張ると、レバー部９０は、第１位置から前方に移動する。これにより、シャフト５４は傾斜面９７と当接する。レバー部９０が更に前方に移動すると、シャフト５４は、傾斜面９７に対して摺動しながら相対移動する。これにより、シャフト５４は、傾斜面９７に案内されて下方に移動する。
【００６８】
すると、シャフト５４は、凸部５２Ｂの孔５３Ｂを構成する内周面の下端と当接し、当該下端を押す。これにより、凸部５２Ｂと一体形成された支持部材５５、及び当該支持部材５５に支持されたピンチローラ６１Ｂは、下方に移動する。その結果、ピンチローラ６１Ｂは、搬送ローラ６０から離間する。一方、この時点では、凸部５２Ａと一体形成された支持部材５５、及び当該支持部材５５に支持されたピンチローラ６１Ａは、移動しない。
【００６９】
ピンチローラ６１Ｂが搬送ローラ６０から離間した状態で、レバー部９０が更に前方に移動すると、シャフト５４は更に下方に移動する。そして、図５（Ｂ）に示されるように、シャフト５４は、凸部５２Ａの孔５３Ａを構成する内周面の下端と当接し、当該下端を押す。これにより、凸部５２Ａと一体形成された支持部材５５、及び当該支持部材５５に支持されたピンチローラ６１Ａは、下方に移動する。その結果、図５（Ｃ）に示されるように、ピンチローラ６１Ａは、搬送ローラ６０から離間する。つまり、搬送ローラ対５９は第２状態となる。
【００７０】
その後、レバー部９０が更に前方に移動すると、図３（Ｂ）に示されるように、シャフト５４は、弾性部材６６の付勢力によって水平面９８Ｂと圧接した状態となる。このとき、レバー部９０は第２位置に到達している。すなわち、レバー部９０が第２位置のとき、搬送ローラ対５９は第２状態である。
【００７１】
図５（Ｃ）では、ピンチローラ６１Ｂと搬送ローラ６０との距離Ｄ３（本発明の第２距離の一例）は、ピンチローラ６１Ａと搬送ローラ６０との距離Ｄ４（本発明の第１距離の一例）よりも大きい。これは、ピンチローラ６１Ｂがピンチローラ６１Ａよりも先に下方への移動を開始したからである。つまり、移動機構５０は、複数のピンチローラ６１の一部であるピンチローラ６１Ａを、搬送ローラ６０から離間する向きである下方に距離Ｄ４移動させ、複数のピンチローラ６１のうちのピンチローラ６１Ａ以外のピンチローラ６１Ｂを、下方に距離Ｄ３移動させることによって、搬送ローラ対５９を第１状態から第２状態へ状態変化させる。
【００７２】
ここで、距離Ｄ３は、メディアトレイ１１０の厚み（複合機１０に挿入された状態における上下方向７の長さ）よりも大きい。一方、距離Ｄ４は、メディアトレイ１１０の厚みよりも小さい。これにより、複合機１０に挿入されたメディアトレイ１１０は、搬送ローラ６０とピンチローラ６１Ａとによって挟持されるが、搬送ローラ６０とピンチローラ６１Ｂとによって挟持されない。
【００７３】
以下、レバー部９０の移動に伴う排出ローラ対４４の状態変化について説明する。図３（Ａ）に示されるように、レバー部９０が第１位置に位置しているとき、排出ローラ６２の軸６４は、開口９２における水平面１００Ａの下方に位置している。このとき、排出ローラ６２は、弾性部材（不図示）の付勢力によって拍車６３に圧接されている。つまり、排出ローラ対４４は第１状態である。
【００７４】
ユーザが、把持部９３を把持して、レバー部９０を前向きに引っ張ると、レバー部９０は、第１位置から前方に移動する。これにより、軸６４は傾斜面９９と当接する。レバー部９０が更に前方に移動すると、軸６４は、傾斜面９９に対して摺動しながら相対移動する。これにより、軸６４は、下方に移動する。つまり、排出ローラ６２は、下方に移動する。その結果、排出ローラ６２は、傾斜面９９に案内されて下方に移動し、拍車６３から離間する。つまり、排出ローラ対４４は第２状態となる。
【００７５】
その後、レバー部９０が更に前方に移動すると、図３（Ｂ）に示されるように、軸６４は、弾性部材の付勢力によって水平面１００Ｂと圧接した状態となる。このとき、レバー部９０は第２位置に到達している。すなわち、レバー部９０が第２位置のとき、排出ローラ対４４は第２状態である。
【００７６】
以下、レバー部９０の移動に伴うプラテン４２の状態変化について説明する。図３（Ａ）に示されるように、レバー部９０が第１位置に位置しているとき、プラテン４２の突起４３は、開口１３０における水平面１３２Ａの下方に位置している。このとき、プラテン４２は、第１状態である。
【００７７】
ユーザが、把持部９３を把持して、レバー部９０を前向きに引っ張ると、レバー部９０は、第１位置から前方に移動する。これにより、突起４３は傾斜面１３１と当接する。レバー部９０が更に前方に移動すると、突起４３は、傾斜面１３１に対して摺動しながら相対移動する。これにより、突起４３は、下方に移動する。つまり、プラテン４２は、下方に移動し第２状態となる。
【００７８】
その後、レバー部９０が更に前方に移動すると、図３（Ｂ）に示されるように、突起４３は、弾性部材の付勢力によって水平面１３２Ｂと圧接した状態となる。このとき、レバー部９０は第２位置に到達している。すなわち、レバー部９０が第２位置のとき、プラテン４２は第２状態である。
【００７９】
レバー部９０が第２位置から第１位置に移動するとき、上述と逆の動作が実行される。つまり、シャフト５４が水平面９８Ｂから離間して傾斜面９７に対して摺動することによって、ピンチローラ６１が上方へ移動して搬送ローラ６０と当接する。また、軸６４が水平面１００Ｂから離間して傾斜面９９に対して摺動することによって、排出ローラ６２が上方へ移動して拍車６３と当接する。また、突起４３が水平面１３２Ｂから離間して傾斜面１３１に対して摺動することによって、プラテン４２が上方へ移動する。
【００８０】
以上より、レバー部９０は、搬送ローラ対５９、排出ローラ対４４、及びプラテン４２を第１状態とする第１位置、並びに搬送ローラ対５９、排出ローラ対４４、及びプラテン４２を第２状態とする第２位置の間で移動可能である。
【００８１】
［当接部材４１］
図２に示されるように、直線部３４におけるノズル３９よりも上流側には、当接部材４１が配置されている。図６に示されるように、当接部材４１は、左右方向９において、プラテン４２に形成された複数のリブ１２０の間のそれぞれに配置されている。当接部材４１は、７個設けられているが、７個以外の個数でもよい。
【００８２】
図２に示されるように、当接部材４１の基端部７７は、ガイドレール５６に取り付けられている。一方、当接部材４１の当接部７８（本発明の上側当接部の一例）は、搬送向き１５におけるノズル３９及び搬送ローラ対５９の間に配置されている。当接部７８は、搬送向き１５の上流側から下流側に向かって、つまり基端部７７側から先端に向かって傾斜している。当接部７８の先端７９は、リブ１２０の上端よりも下方に位置している。また、先端７９は、第１状態における搬送ローラ対５９による記録用紙１２の挟持位置Ｐ１（図３（Ａ）参照）よりも下方、且つ第２状態におけるピンチローラ６１Ａ（図３（Ｂ）参照）よりも上方に位置している。
【００８３】
先端７９は、直線部３４を搬送される記録用紙１２と上方から当接する。これにより、記録用紙１２は、上方から当接する先端７９と下方から当接するリブ１２０とによって、左右方向９に連続する波形状にされる。
【００８４】
［メディアトレイ１１０］
上述したように、複合機１０は、記録メディアの盤面上に画像を記録する機能を有する。記録メディアに画像が記録される場合、記録メディアは、メディアトレイ１１０に支持される。図２に示されるように、メディアトレイ１１０は、開口１３から矢印７３の向きである後向き（本発明の挿入向きの一例）に複合機１０の内部における搬送路６５の直線部３４へ挿入される。つまり、メディアトレイ１１０は、記録部２４よりも搬送向き１５の下流側から搬送向き１５と逆向きに挿入される。直線部３４へ挿入されたメディアトレイ１１０は、第２状態の搬送ローラ対５９及び排出ローラ対４４に挟持されて、直線部３４を前後方向８に搬送される。記録部２４は、記録用紙１２の場合と同様にして、直下を通過するメディアトレイ１１０に載置された記録メディアにインク滴を吐出する。これにより、記録メディアに画像が記録される。
【００８５】
図７及び図８に示されるように、メディアトレイ１１０は、薄板形状の樹脂板であるメディアトレイ本体部１１２と、メディアトレイ本体部１１２の一方の面（メディアトレイ１１０が複合機１０に挿入された状態における上面１１６）に設けられた支持部１１３と、当該一方の面に設けられた第１傾斜面１１４（本発明の傾斜部の一例）と、メディアトレイ本体部１１２において一方の面の裏側である他方の面（メディアトレイ１１０が複合機１０に挿入された状態における下面１１７）に設けられた第２傾斜面１１５とを備えている。
【００８６】
支持部１１３は、円形状の凹みである。当該凹みに記録メディアが支持される。当該凹みの大きさ及び形状は、載置される記録メディアと略同一である。この当該凹みの底面の領域が上述した支持領域１１１である。
【００８７】
第１傾斜面１１４は、図７に示されるように、上面１１６における矢印７３の向きの下流端部１１８に設けられている。第１傾斜面１１４は、矢印７３の向きの下流端から矢印７３とは逆向きへ斜め上向きに傾斜した面である。第１傾斜面１１４は、当接部材４１の当接部７８に対応して配置されている。換言すると、第１傾斜面１１４は、左右方向９において、当接部材４１の当接部７８に対応する位置に設けられている。
【００８８】
メディアトレイ本体部１１２の矢印７３の向きの下流端部１１８は、左右方向９において、第１範囲１０１と第２範囲１０２とで構成されている。第１範囲１０１は、第１傾斜面１１４が形成された範囲である。第２範囲１０２は、第１傾斜面１１４が形成されていない範囲である。第２範囲１０２の矢印７３の向きの下流端の高さは、第１範囲１０１の矢印７３の向きの下流端よりも高い。
【００８９】
第１範囲１０１は、距離Ｄ４移動するピンチローラ６１Ａと当接する第３範囲１０３、及びピンチローラ６１と当接しない第４範囲１０４よりなる。
【００９０】
メディアトレイ本体部１１２の矢印７３の向きの下流端部１１８は、その左右方向９の両端部が中央部よりも下がった位置となるように構成されている。つまり、第３範囲１０３は、第２範囲１０２よりも矢印７３の向きの上流側に位置している。
【００９１】
複数のピンチローラ６１のうち左右両端側に設けられたピンチローラ６１Ａのうち、右側のピンチローラ６１Ａは、その右側部分が複合機１０に挿入されたメディアトレイ１１０の第３範囲１０３と左右方向９において重複する位置であり、その左側部分が複合機１０に挿入されたメディアトレイ１１０の第２範囲１０２と左右方向９において重複する位置である。また、複数のピンチローラ６１のうち左右両端側に設けられたピンチローラ６１Ａのうち、左側のピンチローラ６１Ａは、その左側部分が複合機１０に挿入されたメディアトレイ１１０の第３範囲１０３と左右方向９において重複する位置であり、その右側部分が複合機１０に挿入されたメディアトレイ１１０の第２範囲１０２と左右方向９において重複する位置である。つまり、ピンチローラ６１Ａは、左右方向９において、第３範囲１０３及び第２範囲１０２の双方を含む範囲に亘って配置されている。
【００９２】
第２傾斜面１１５は、図８に示されるように、矢印７３の向きの下流端部１１８の下面１１７に設けられている。第２傾斜面１１５は、矢印７３の向きの下流端から矢印７３とは逆向きへ斜め下向きに傾斜した面である。第２傾斜面１１５は、左右方向９において、第２範囲１０２に配置されている。
【００９３】
［メディアトレイ１１０の動作］
以下、複合機１０にメディアトレイ１１０が挿入され、メディアトレイ１１０に載置された記録メディアに画像が記録される手順が説明される。ユーザの操作によってレバー部９０が第１位置から第２位置へ移動すると、搬送ローラ対５９、排出ローラ対４４、及びプラテン４２が第１状態から第２状態へ状態変化する。つまり、ピンチローラ６１、排出ローラ６２、及びプラテン４２は、図２に実線で示される位置から破線で示される位置へ移動する。これにより、搬送ローラ対５９及び排出ローラ対４４は、メディアトレイ１１０を挟持して直線部３４に沿って搬送可能な状態となる。また、プラテン４２は、下方へ移動する。つまり、プラテン４２は、直線部３４を搬送されるメディアトレイ１１０と接触しない位置へ退避する。
【００９４】
次に、ユーザは、記録メディアが載置されたメディアトレイ１１０を、下流端部１１８を先端として、開口１３から凹部８０を通じてプリンタ部１１内部の直線部３４へ向けて、後向きへ挿入する。この際、メディアトレイ１１０は、凹部８０の内側面８１に設けられたトレイガイド（不図示）に支持されつつ、少なくとも下流端部１１８が排出ローラ対４４に挟持される位置まで挿入される。なお、メディアトレイ１１０は、更に奥まで、例えば下流端部１１８が搬送ローラ対５９に挟持される位置まで挿入されてもよい。
【００９５】
次に、ユーザは、複合機１０の正面上部に設けられた操作パネル１３３（図１参照）を操作して、画像を記録する機能を選択する。これにより、搬送用モータから搬送ローラ６０及び排出ローラ６２へ逆転の駆動力が伝達される。すると、メディアトレイ１１０は、排出ローラ対４４によって、直線部３４を後向きへ搬送されて、下流端部１１８が記録部２４の直下を通過する（図９（Ａ）参照）。
【００９６】
なお、以下の説明（図９、図１０、及び図１２を参照しての説明）では、左右方向９における複数の当接部材４１のうちの当接部材４１Ａ、４１Ｂに対応する位置での、メディアトレイ１１０、当接部材４１Ａ、４１Ｂ、及び搬送ローラ対５９の動作が説明されるが、左右方向９における複数の当接部材４１のうちの当接部材４１Ｃ、４１Ｄに対応する位置）での、メディアトレイ１１０、当接部材４１Ｃ、４１Ｄ、及び搬送ローラ対５９は、当接部材４１Ａ、４１Ｂに対応する位置と同様に動作する。よって、当接部材４１Ｃ、４１Ｄに対応する位置についての説明は省略される。
【００９７】
図９（Ａ）に示される状態において、メディアトレイ１１０の下流端部１１８が更に後向きに搬送されると、図９（Ｂ）及び図１２（Ａ）に示されるように、下流端部１１８の第４範囲１０４に形成された第１傾斜面１１４が、当接部材４１Ｂの当接部７８と当接する。これにより、当該当接部７８は、後方へ搬送されるメディアトレイ１１０の第１傾斜面１１４に沿って相対移動する。その結果、当該当接部７８は、上方へ撓む。つまり、当該当接部７８は、第１傾斜面１１４によってメディアトレイ１１０の上側へ掬い上げられる（図１２（Ｃ）参照）。なお、図９（Ｂ）に示される状態において、下流端部１１８の第３範囲１０３に形成された第１傾斜面１１４は、当接部材４１Ａの当接部７８に到達していない(図１２（Ｂ）参照）。
【００９８】
図９（Ｂ）及び図１２（Ａ）、（Ｂ）に示される状態において、メディアトレイ１１０の下流端部１１８が更に後向きに搬送されると、図９（Ｃ）及び図１２（Ｄ）に示されるように、下面１１７における下流端部１１８の第２範囲１０２に形成された第２傾斜面１１５がピンチローラ６１Ａの上端部と当接する。第２傾斜面１１５は、ピンチローラ６１Ａの右側部分と当接する。これにより、ピンチローラ６１Ａは、第２傾斜面１１５に押されることによって、弾性部材６６に抗って下方へ移動する。その結果、下流端部１１８は、搬送ローラ対５９によって挟持される（図１２（Ｆ）参照）。
【００９９】
なお、このとき、図１２（Ｃ）、（Ｅ）に示されるように、ピンチローラ６１Ｂは、下方へ、メディアトレイ１１０の厚みよりも大きい距離Ｄ３移動しているため、メディアトレイ１１０と当接しない。
【０１００】
また、図９（Ｂ）及び図１２（Ａ）、（Ｂ）に示される状態において、メディアトレイ１１０の下流端部１１８が更に後向きに搬送されると、図９（Ｃ）及び図１２（Ｄ）に示されるように、下流端部１１８の第３範囲１０３に形成された第１傾斜面１１４が、当接部材４１Ａの当接部７８と当接する。これにより、上述と同様にして、当該当接部７８は、第１傾斜面１１４に沿って相対移動して、メディアトレイ１１０の上側へ掬い上げられる（図１２（Ｆ）参照）。
【０１０１】
図９（Ｃ）及び図１２（Ｃ）、（Ｄ）に示される状態において、メディアトレイ１１０の下流端部１１８が更に後向きに搬送されると、図１０（Ａ）及び図１２（Ｆ）に示されるように、下流端部１１８の第３範囲１０３の下面１１７が、ピンチローラ６１Ａの上端部と当接する。第３範囲１０３の下面１１７は、ピンチローラ６１Ａの左側部分と当接する。このとき、上述したようにピンチローラ６１Ａは既に弾性部材６６に抗って下方へ移動している。そのため、下流端部１１８の第３範囲１０３の上面１１６がピンチローラ６１Ａと当接してしまうことによって、当該ピンチローラ６１Ａへの下方への移動が妨げられてしまう可能性は低い。
【０１０２】
図１０（Ａ）に示される状態において、メディアトレイ１１０の下流端部１１８が更に後向きにへ搬送されると、メディアトレイ１１０は、図１０（Ｂ）に示される状態を経て、記録メディアが記録部２４よりも後方となる位置まで搬送される。なお、当該位置において、メディアトレイ１１０の下流端部１１８は、装置背面に設けられた開口１３４（図２参照）から突出している。
【０１０３】
この状態において、搬送用モータから搬送ローラ６０及び排出ローラ６２へ伝達される駆動力が、逆転から正転へ切り換えられる。これにより、メディアトレイ１１０が前方に搬送され、メディアトレイ１１０に載置された記録メディアが記録部２４の下方を通る。このとき、搬送される記録メディアに対して、記録ヘッド３８からインク滴が吐出される。これにより、記録メディアの盤面上に画像が記録される。その後、メディアトレイ１１０は開口１３から複合機１０の外部に排出される。
【０１０４】
［実施形態の効果］
本実施形態によれば、記録メディアに画像記録するためにメディアトレイ１１０を複合機１０へ挿入させる際、その挿入過程において、メディアトレイ１１０の第１傾斜面１１４が当接部材４１の当接部７８と当接する。これにより、当接部材４１の当接部７８は、当該第１傾斜面１１４に対して相対的に摺動する。その結果、当接部材４１の当接部７８は、第１傾斜面１１４に沿って上方へ案内され、メディアトレイ１１０よりも上方へ移動する。以上より、メディアトレイ１１０の挿入が当接部材４１に引っかかることによって妨げられる可能性を低くすることができる。つまり、本実施形態によれば、記録メディアを支持可能なメディアトレイ１１０を、記録用紙１２を波形状にさせるための当接部材４１に妨げられることなく複合機１０に挿入することができる。
【０１０５】
また、本実施形態によれば、当接部材４１は、その当接部７８が第１傾斜部１１５と当接することにより上方へ撓む。そのため、当接部材４１自体を移動させるための機構が不要である。
【０１０６】
また、本実施形態によれば、第１傾斜面１１４が当接部材４１に対応して配置されているため、第１傾斜面１１４を必要な箇所にのみ設けることができる。換言すると、第１傾斜面１１４を不要な箇所に設ける必要はない。
【０１０７】
また、メディアトレイ１１０の第１傾斜面１１４を当接部材４１の当接部７８に直接当接させて、当該当接部７８をメディアトレイ１１０の上方へ案内することができる。
【０１０８】
また、本実施形態によれば、メディアトレイ１１０の挿入向きの下流端部１１８は、複合機１０への挿入過程において、距離Ｄ４移動するピンチローラ６１Ａと当接する。これにより、当該ピンチローラ６１Ａはメディアトレイ１１０に押されることによって下方へ移動する。その結果、当該ピンチローラ６１Ａは搬送ローラ６０と協働してメディアトレイ１１０を挟持することができる。しかし、仮に、第１傾斜面１１４が距離Ｄ４移動するピンチローラ６１Ａと当接する場合、その当接位置が下方にずれてしまう。なぜなら、第１傾斜面１１４はメディアトレイ１１０の挿入向きの下流端において挿入向きの上流側よりも下方に位置するからである。その結果、当該ピンチローラ６１Ａが下方へ移動できず、搬送ローラ対５９がメディアトレイ１１０を挟持することができないおそれがある。
【０１０９】
そこで、本実施形態では、メディアトレイ１１０の挿入向きの下流端部１１８は、左右方向９において、第１傾斜面１１４が形成された第１範囲１０１と、第１傾斜面１１４が形成されておらず且つ下流端の高さが第１傾斜面１１４の挿入向きの下流端よりも上方に位置する第２範囲１０２とで構成されている。また、第１範囲１０１の一部であって距離Ｄ４移動するピンチローラ６１Ａと当接する第３範囲１０３は、第２範囲１０２よりも前側に位置している。距離Ｄ４移動するピンチローラ６１Ａは、左右方向９において、第３範囲１０３及び第２範囲１０２の双方を含む範囲に亘って配置されている。
【０１１０】
これにより、距離Ｄ４移動するピンチローラ６１Ａは、最初に、メディアトレイ１１０の挿入向きの下流端部１１８における第２範囲１０２、つまり第１傾斜面１１４が形成されておらず且つ下流端の高さが第１傾斜面１１４の挿入向きの下流端よりも上方に位置する範囲と当接する。その結果、距離Ｄ４移動するピンチローラ６１Ａは、メディアトレイ１１０の挿入向きの下流端部１１８における第２範囲１０２に押されることによって、下側に移動する。そして、その後、距離Ｄ４移動するピンチローラ６１Ａは、メディアトレイ１１０の挿入向きの下流端部１１８における第３範囲１０３、つまり第１傾斜面１１４と当接する。このとき、ピンチローラ６１Ａは既に下側に移動している。そのため、上述したような事態、つまりピンチローラ６１Ａが搬送ローラ６０から離間することができない事態が発生する可能性を低くすることができる。
【０１１１】
また、本実施形態によれば、距離Ｄ４移動するピンチローラ６１Ａが第２範囲１０２と当接した際に、ピンチローラ６１Ａは、第２傾斜面１１５に案内されることによって下方へ円滑に移動可能である。
【０１１２】
また、本実施形態によれば、メディアトレイ１１０は、支持領域１１１の左右方向９の両側においてのみ搬送ローラ対５９によって挟持される。これにより、メディアトレイ１１０における支持領域１１１の裏側である下面１１７がピンチローラ６１Ｂによって押圧されて、メディアトレイ１１０が反った方向に沿って動いてしまうことを防止できる。その結果、支持領域１１１において支持された記録メディアが搬送ローラ６０に接触して、当該記録メディアに傷がつくことを防止できる。
【０１１３】
［変形例１］
上述の実施形態では、ピンチローラ６１Ａは、左右方向９の両側に配置されており、ピンチローラ６１Ｂは、左右方向９の中央側に配置されていたが、このような配置に限らない。例えば、複数のピンチローラ６１の全てが、ピンチローラ６１Ａのように構成されていてもよい。つまり、複数のピンチローラ６１の全てが下方に距離Ｄ４移動する構成であってもよい。
【０１１４】
［変形例２］
上述の実施形態では、搬送ローラ対５９において、搬送ローラ６０が上側でピンチローラ６１が下側に設けられているが、ピンチローラ６１が上側で搬送ローラ６０が下側に設けられていてもよい。この場合、上側のピンチローラ６１が移動することによって、搬送ローラ対５９が状態変化する。また、上述の実施形態では、排出ローラ対４４において、下側の排出ローラ６２が移動することによって、排出ローラ対４４が状態変化するが、上側の拍車６３が移動することによって、排出ローラ対４４が状態変化してもよい。
【０１１５】
また、記録用紙１２に画像が記録される場合には、拍車６３が使用される一方で、記録メディアに画像が記録される場合には、拍車６３の代わりに、排出ローラ６２に従動して回転する従動ローラ（拍車６３とは異なりローラ面に凹凸がないローラ）が使用されてもよい。この場合、例えば、拍車６３及び上記従動ローラが、レバー部９０の移動に連動して上下動するように構成されており、レバー部９０が第１位置から第２位置へ移動すると、拍車６３が上方に退避する一方で、上記従動ローラが直線部３４へ出てくる。また、レバー部が第２位置から第１位置へ移動すると、上記従動ローラが上方に退避する一方で、拍車６３が直線部３４へ出てくる。
【０１１６】
また、上述の実施形態では、ピンチローラ６１が弾性部材６６によって搬送ローラ６０側に付勢され、排出ローラ６２が弾性部材によって拍車６３側に付勢されていたが、上述とは逆に、搬送ローラ６０が弾性部材によってピンチローラ６１側に付勢され、拍車６３が弾性部材によって排出ローラ６２側に付勢されていてもよい。
【０１１７】
［変形例３］
ピンチローラ６１及び排出ローラ６２の移動方向は、上下方向７に限らない。例えば、上下方向７に対して傾斜した向きでもよい。
【０１１８】
［変形例４］
上述の実施形態では、当接部材４１は、左右方向９において、プラテン４２に形成された複数のリブ１２０の間のそれぞれに配置されているが、複数のリブ１２０の間の一部にのみ配置されていてもよい。つまり、当接部材４１は、左右方向９において、複数のリブ１２０の間の少なくとも１つに配置されていればよい。
【０１１９】
［変形例５］
上述の実施形態では、第１傾斜面１１４は、左右方向９において、当接部材４１の当接部７８に対応した位置にのみ設けられていたが、当接部７８に対応していない位置にも設けられていてもよい。
【０１２０】
［変形例６］
上述の実施形態では、メディアトレイ本体部１１２の下流端部１１８は、左右方向９において、第１範囲１０１と第２範囲１０２とで構成されていたが、第１範囲１０１のみで構成されていてもよい。つまり、第１傾斜面１１４は、下流端部１１８における左右方向９の全域に亘って形成されていてもよい。
【０１２１】
［変形例７］
上述の実施形態では、第１範囲１０１は、第３範囲１０３及び第４範囲１０４で構成されていたが、このような構成に限らない。例えば、第１傾斜面１１４が左右方向９においてピンチローラ６１Ｂと対応する位置にも設けられているならば、第１範囲１０１は、第３範囲１０３と、第４範囲１０４と、距離Ｄ３移動するピンチローラ６１Ｂと当接する範囲とで構成される。また、第１傾斜面１１４の全てが左右方向９においてピンチローラ６１と対応する位置に設けられているならば、第１範囲１０１は、第３範囲１０３と距離Ｄ３移動するピンチローラ６１Ｂと当接する範囲とで構成される。
【０１２２】
［変形例８］
上述の実施形態では、メディアトレイ１１０は装置前面の開口１３から挿入されたが、装置背面の開口１３４から挿入されてもよい。この場合、メディアトレイ１１０は、前向きに搬送されつつ記録部２４によって記録メディアに画像を記録され、そのまま装置前面の開口１３から排出されてもよいし、画像記録後に後向きに搬送されて装置背面の開口１３４から排出されてもよい。
【０１２３】
［変形例９］
上述の実施形態では、当接部材４１は、基端部７７がガイドレール５６に取り付けられており、当接部７８が第１傾斜面１１４と当接することにより上方へ撓むように構成されていた。しかし、当接部材４１全体が、上下方向７に移動可能であってもよい。例えば、当接部材４１の基端部７７がガイドレール５６に上下方向７に移動可能に取り付けられており、通常は自重によって下方に位置しているが、当接部７８が第１傾斜面１１４と当接して持ち上げられることにより、当接部材４１全体が上方に移動してもよい。なお、この場合、当接部材４１は、記録用紙１２によっては持ち上げられないため、記録用紙１２に波形状を付与できる。
【０１２４】
［変形例１０］
上述の実施形態では、当接部材４１の当接部７８の高さは、直線部３４を搬送されるメディアトレイ１１０の第１傾斜面１１４と同じ高さであった。これにより、当接部７８と第１傾斜面１１４とは当接可能であった。しかし、変形例２のように、搬送ローラ対５９の第１状態から第２状態への状態変化が、上側に配置されたピンチローラ６１の上方への移動によって行われる場合、図１１に示されるように、当接部材４１の当接部７８の高さは、直線部３４を搬送されるメディアトレイ１１０の第１傾斜面１１４よりも低くなってしまう。
【０１２５】
この場合、例えば、図１１に示されるような構成によって、当接部材４１は、メディアトレイ１１０の上側に移動させることが可能である。以下に詳述する。当接部材４１の当接部７８と基端部７７との間には、左右方向９に突出した突部７６が設けられている。一方、メディアトレイ１１０の下流端部１１８の左右方向９における突部７６と対応する位置には、下流端部１１８突出した突部１２１が設けられている。突部１２１の先端部には、第１傾斜面１１４と同様に傾斜した第３傾斜面１２３が設けられている。
【０１２６】
メディアトレイ１１０が直線部３４を後向きに搬送されると、図１１（Ａ）、（Ｂ）に示されるように、最初に、突部１２１が突部７６と当接する。これにより、突部７６は、第３傾斜面１２３に案内される。その結果、当接部材４１の当接部７８は、上方に撓んで、第１傾斜面１１４と同じ高さとなる。
【０１２７】
この状態で、メディアトレイ１１０が更に後向きに搬送されると、図１１（Ｃ）、（Ｄ）に示されるように、当接部材４１の当接部７８が第１傾斜面１１４と当接する。これにより、当接部７８は、第１傾斜面１１４に案内される。その結果、当接部材４１の当接部７８は、上方に撓む。つまり、当接部材４１は、メディアトレイ１１０の上側に移動する（図１１（Ｅ）、（Ｆ）参照）。
【０１２８】
［変形例１１］
上述の実施形態では、搬送ローラ対５９、排出ローラ対４４、及びプラテン４２は、レバー部９０によって状態変化させられていたが、状態変化の方法はこのような方法に限らない。例えば、搬送ローラ対５９、排出ローラ対４４、及びプラテン４２は、モータから駆動力を付与されることによって上下方向７に移動可能に構成されていてもよい。
【符号の説明】
【０１２９】
１０・・・複合機
１２・・・記録用紙
１５・・・搬送向き
２４・・・記録部
３９・・・ノズル
４１・・・当接部材
５９・・・搬送ローラ対
６０・・・搬送ローラ
６１・・・ピンチローラ
７８・・・先端部
１１０・・・メディアトレイ
１１４・・・第１傾斜面
１２０・・・リブ
【図１】
2015066887.tif 000003
【図２】
2015066887.tif 000004
【図３】
2015066887.tif 000005
【図４】
2015066887.tif 000006
【図５】
2015066887.tif 000007
【図６】
2015066887.tif 000008
【図７】
2015066887.tif 000009
【図８】
2015066887.tif 000010
【図９】
2015066887.tif 000011
【図１０】
2015066887.tif 000012
【図１１】
2015066887.tif 000013
【図１２】
2015066887.tif 000014